【手続補正書】
【提出日】平成16年7月15日(2004.7.15)
【手続補正１】
【補正対象書類名】明細書
【補正対象項目名】発明の名称
【補正方法】変更
【補正の内容】
【発明の名称】画像処理装置及び画像処理方法
【手続補正２】
【補正対象書類名】明細書
【補正対象項目名】特許請求の範囲
【補正方法】変更
【補正の内容】
【特許請求の範囲】
【請求項１】
キャラクタデータを生成するキャラクタデータ生成手段と、
画像データを入力する入力手段と、
前記入力手段により入力された画像データと前記キャラクタデータ生成手段により生成されたキャラクタデータとを合成すると共に、前記合成された画像データを複数画素からなるブロックに分割し、前記分割された画像データを前記ブロック単位で圧縮符号化する圧縮符号化手段とを有し、
前記圧縮符号化手段は、前記分割された画像データに前記キャラクタデータが含まれている場合には、可逆圧縮符号化を実行し、前記分割された画像データに前記キャラクタデータが含まれていない場合には、非可逆圧縮符号化を実行することを特徴とする画像処理装置。
【請求項２】
前記可逆圧縮符号化がなされた画像データを判別するためのマーカを発行するマーカ発行手段を備えることを特徴とする請求項１記載の画像処理装置。
【請求項３】
画像データを入力する入力手段と、
前記入力手段により入力された画像データの画面上に対して特定のエリアを設定する設定手段と、
前記入力手段により入力された画像データを複数画素からなるブロックに分割し、前記ブロック単位で前記画像データを圧縮符号化する圧縮符号化手段とを有し、
前記圧縮符号化手段は、圧縮符号化対象のブロックが前記設定手段により設定されたエリアを含む場合には、可逆圧縮符号化を実行し、圧縮符号化対象のブロックが前記設定手段により設定されたエリアを含まない場合には、非可逆圧縮符号化を実行することを特徴とする画像処理装置。
【請求項４】
前記可逆圧縮符号化がなされた画像データを判別するためのマーカを発行するマーカ発行手段を備えることを特徴とする請求項３記載の画像処理装置。
【請求項５】
キャラクタデータを生成するキャラクタデータ生成工程と、
画像データを入力する入力工程と、
前記入力工程で入力された画像データと前記キャラクタデータ生成工程で生成されたキャラクタデータとを合成すると共に、前記合成された画像データを複数画素からなるブロックに分割し、前記分割された画像データを前記ブロック単位で圧縮符号化する圧縮符号化工程とを有し、
前記圧縮符号化工程では、前記分割された画像データに前記キャラクタデータが含まれている場合には、可逆圧縮符号化を実行し、前記分割された画像データに前記キャラクタデータが含まれていない場合には、非可逆圧縮符号化を実行することを特徴とする画像処理方法。
【請求項６】
画像データを入力する入力工程と、
前記入力工程で入力された画像データの画面上に特定のエリアを設定する設定工程と、
前記入力工程で入力された画像データを複数画素からなるブロックに分割し、前記ブロック単位で前記画像データを圧縮符号化する圧縮符号化工程とを有し、
前記圧縮符号化工程では、圧縮符号化対象のブロックが前記設定工程で設定されたエリアを含む場合には、可逆圧縮符号化を実行し、圧縮符号化対象のブロックが前記設定工程で設定されたエリアを含まない場合には、非可逆圧縮符号化を実行することを特徴とする画像処理方法。
【手続補正３】
【補正対象書類名】明細書
【補正対象項目名】０００１
【補正方法】変更
【補正の内容】
【０００１】
【産業上の利用分野】
本発明は、画像データの符号化処理を行う画像処理装置及びその方法に関するものである。
【手続補正４】
【補正対象書類名】明細書
【補正対象項目名】００１４
【補正方法】変更
【補正の内容】
【００１４】
本発明は、以上の点を鑑みてなされたものであり、ノイズやブロック歪み等の画質劣化が目立たない圧縮符号化処理を行うことができる画像処理装置及びその方法を提供することを目的とする。
【手続補正５】
【補正対象書類名】明細書
【補正対象項目名】００１５
【補正方法】変更
【補正の内容】
【００１５】
【課題を解決するための手段】
上記目的を達成するために、本発明の画像処理装置は、キャラクタデータを生成するキャラクタデータ生成手段と、画像データを入力する入力手段と、前記入力手段により入力された画像データと前記キャラクタデータ生成手段により生成されたキャラクタデータとを合成すると共に、前記合成された画像データを複数画素からなるブロックに分割し、前記分割された画像データを前記ブロック単位で圧縮符号化する圧縮符号化手段とを有し、前記圧縮符号化手段は、前記分割された画像データに前記キャラクタデータが含まれている場合には、可逆圧縮符号化を実行し、前記分割された画像データに前記キャラクタデータが含まれていない場合には、非可逆圧縮符号化を実行することを特徴とする。
【手続補正６】
【補正対象書類名】明細書
【補正対象項目名】００１６
【補正方法】変更
【補正の内容】
【００１６】
また、上記目的を達成するために、本発明の画像処理装置は、画像データを入力する入力手段と、前記入力手段により入力された画像データの画面上に対して特定のエリアを設定する設定手段と、前記入力手段により入力された画像データを複数画素からなるブロックに分割し、前記ブロック単位で前記画像データを圧縮符号化する圧縮符号化手段とを有し、前記圧縮符号化手段は、圧縮符号化対象のブロックが前記設定手段により設定されたエリアを含む場合には、可逆圧縮符号化を実行し、圧縮符号化対象のブロックが前記設定手段により設定されたエリアを含まない場合には、非可逆圧縮符号化を実行することを特徴とする。
【手続補正７】
【補正対象書類名】明細書
【補正対象項目名】００１７
【補正方法】変更
【補正の内容】
【００１７】
また、上記目的を達成するために、本発明の画像処理方法は、キャラクタデータを生成するキャラクタデータ生成工程と、画像データを入力する入力工程と、前記入力工程で入力された画像データと前記キャラクタデータ生成工程で生成されたキャラクタデータとを合成すると共に、前記合成された画像データを複数画素からなるブロックに分割し、前記分割された画像データを前記ブロック単位で圧縮符号化する圧縮符号化工程とを有し、前記圧縮符号化工程では、前記分割された画像データに前記キャラクタデータが含まれている場合には、可逆圧縮符号化を実行し、前記分割された画像データに前記キャラクタデータが含まれていない場合には、非可逆圧縮符号化を実行することを特徴とする。
【手続補正８】
【補正対象書類名】明細書
【補正対象項目名】００１８
【補正方法】変更
【補正の内容】
【００１８】
また、上記目的を達成するために、本発明の画像処理方法は、画像データを入力する入力工程と、前記入力工程で入力された画像データの画面上に特定のエリアを設定する設定工程と、前記入力工程で入力された画像データを複数画素からなるブロックに分割し、前記ブロック単位で前記画像データを圧縮符号化する圧縮符号化工程とを有し、前記圧縮符号化工程では、圧縮符号化対象のブロックが前記設定工程で設定されたエリアを含む場合には、可逆圧縮符号化を実行し、圧縮符号化対象のブロックが前記設定工程で設定されたエリアを含まない場合には、非可逆圧縮符号化を実行することを特徴とする。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００５６
【補正方法】変更
【補正の内容】
【００５６】
【発明の効果】
以上詳細に説明したように、本発明によれば、キャラクタデータ或いは特定のエリアが含まれるブロックの画像データに対して可逆圧縮符号化し、それ以外のブロックは非可逆圧縮符号化するようにしたので、圧縮効率をあまり落とさずキャラクタや特定エリアに対してノイズやブロック歪みの等の画質劣化が目立たないように圧縮符号化することができる。
【手続補正２０】
【補正対象書類名】明細書
【補正対象項目名】００５７
【補正方法】削除
【補正の内容】
【手続補正２１】
【補正対象書類名】明細書
【補正対象項目名】００５８
【補正方法】削除
【補正の内容】